(57)【要約】      （修正有）【課題】容易に解体して、リサイクルが可能な井型パレットを提供する。【解決手段】互いに平行な２本の角材からなる脚材１，１と、互いに平行な２本の角材からなり、脚材１，１と平面視で垂直に交差するよう脚材１，１の上に載置される上材２，２とを備える。脚材１，１と上材２，２は、帯状部材３で連結されている。脚材１と上材２が、帯状部材３をたすき掛けして連結されていることが好ましい。また、上材２，２の上面に、シート状物４が帯状部材４で固定されていることが好ましい。【選択図】図１
2018177307.tif 000002
【特許請求の範囲】
【請求項１】
４本の角材を井型に組んでなる井型パレットであって、
互いに平行な２本の角材からなる脚材と、
互いに平行な２本の角材からなり、前記脚材と平面視で垂直に交差するよう前記脚材の上に載置される上材と
を備え、
前記脚材と前記上材が帯状部材で連結されていることを特徴とする井型パレット。
【請求項２】
前記脚材と前記上材が、帯状部材をたすき掛けして連結されている請求項１に記載の井型パレット。
【請求項３】
前記上材の上面に、シート状物が帯状部材で固定されている請求項１、又は請求項２に記載の井型パレット。
【発明の詳細な説明】
【技術分野】
【０００１】
この発明は、鉄板コイル等の重量物を載置するパレットに関し、特に、４本の角材を井型に組んでなる井型パレットに関する。
【背景技術】
【０００２】
従来、細幅の鉄板コイルは、図４に示すような、４本の角木材を井型に組んだ井型パレット９００に多数を積層したのち帯鉄にて結束して輸送されている。
【０００３】
そして、この井型パレット９００は、脚材１となる角木材と上材２となる角木材が、例えば、長さ１２０ｍｍから１５０ｍｍの釘９０３を８本程（図４では、釘は２本のみ示す。）用いて結合されており、鉄板コイルを下ろしたのち解体し、角木材１，２と釘９０３を分別してリサイクルするようにしている。
【発明の概要】
【発明が解決しようとする課題】
【０００４】
しかし、従来の井型パレット９００では、角木材から釘を抜くのに、大変な労力を要するという問題が有った。また、解体が簡単でも、角木材に釘が残るような解体の仕方では、釘が邪魔をして、木材チップにもできないという問題が有る。
また、上記従来の井型パレット９００は、上側の角木材の上面に鉄板コイルを保護するためのビニールテープ（粘着テープ）９０４が接着剤により貼着されており、このビニールテープを角木材から剥がすのも容易ではなかった。
【０００５】
本発明は、上記課題に鑑みてなされたものであり、解体が容易で、木材等の分別が容易な井型パレットの提供を目的とする。
【課題を解決するための手段】
【０００６】
上記課題を解決するためになされた発明は、４本の角材を井型に組んでなる井型パレットであって、互いに平行な２本の角材からなる脚材と、互いに平行な２本の角材からなり、前記脚材と平面視で垂直に交差するよう前記脚材の上に載置される上材とを備え、前記脚材と前記上材が帯状部材で連結されていることを特徴とする。
【０００７】
このように、本発明の井型パレットは、脚材と上材が帯状部材で連結されているので、この帯状部材を切断するだけで、容易に解体することができる。
【０００８】
前記脚材と前記上材が、帯状部材をたすき掛けして連結されていることが好ましい。こうすることで、解体のしやすさを犠牲にすることなく、脚材と上材とを、より強固に連結することができる。
【０００９】
本発明の井型パレットは、前記上材の上面に、シート状物が帯状部材で固定されていることが好ましい。このように、シート状物を帯状部材で上材に固定することで、帯状部材を切断するだけで容易にシート状物を剥がすことができる。
【発明の効果】
【００１０】
以上説明したように、本発明の井型パレットによれば、容易に解体して、効率よく材料ごとの分別ができる。
【図面の簡単な説明】
【００１１】
【図１】本発明の第１実勢形態に係る井型パレットの使用状態を示す斜視図である。
【図２】図１に示した井型パレットの（ａ）平面図、（ｂ）正面図、（ｃ）側面図である。
【図３】本発明の第２実勢形態に係る井型パレットの（ａ）平面図、（ｂ）正面図、（ｃ）側面図である。
【図４】従来の井型パレットの（ａ）平面図、（ｂ）正面図、（ｃ）側面図である。
【図５】図２に示した井型パレットに細幅の鉄板コイルを結束した様子を示す（ａ）平面図、（ｂ）正面図、（ｃ）側面図である。
【発明を実施するための形態】
【００１２】
以下、適宜図面を参照しながら本発明の井型パレットの実施形態について詳述する。
尚、本発明の井型パレットは、以下の実施形態に限定されるものではない。
【００１３】
（第１実施形態）
図１は、本発明の第１実施形態に係る井型パレット１００である。井型パレット１００は、４本の角木材を井型に組んで形成され、例えば、図１に示したように、その上に細幅の鉄板コイルＡを多数積層して輸送するのに用いられる。
【００１４】
井型パレット１００の４本の角木材は、図２に示すように、互いに平行な２本の脚材１，１と、互いに平行な２本の上材２，２（図２（ｂ）、（ｃ）参照）とからなる。上材２，２は、脚材１，１と平面視で垂直に交差するよう脚材１の上に載置されている。上材２の上面には、シート状物４が載置され、脚材１、上材２、及びシート状物４は、帯状部材３により連結されている。
尚、脚材１、及び上材２は、十分な強度を備え、リサイクル可能な部材であれば木材に限らず、適宜の材料を用いることができる。
【００１５】
２本の脚材１，１は、例えば、幅が９０ｍｍ、厚みが６０ｍｍ、長さが１１００ｍｍの角木材からなり、厚み方向を上下方向にして互いに平行に設けられている。
【００１６】
２本の上材２，２は、例えば、幅が５５ｍｍ、厚みが６０ｍｍ、長さが１１００ｍｍの角木材からなり、厚み方向を上下方向にして互いに平行に設けられている。そして、２本の上材２，２は、図１（ａ）に示すように、脚材１，１と合わせて４本で井型に形成されている。
【００１７】
帯状部材３は、例えば、帯鉄バンドからなるが、特に材質には限定されず、十分な強度を有すれば、公知の材料を適宜に用いることができる。帯状部材３は、図２（ａ）に示すように、脚材１と上材２の交差部６において、２本が、脚材１の下面と、上材２の上面の両方で交差するように、たすきに掛けられて結束シール（不図示）でそれぞれ輪状に連結されている。
【００１８】
シート状物４は、段ボール紙が好ましく用いられる他、その他の紙材や、ビニールシートや発泡シート等の樹脂材を用いてもよい。シート状物４は、上材２の上面と同形状を有し、上材２の上面に載置されて、帯状部材３により上材２の上面に固定されている。
【００１９】
井型パレット１００を用いて、鉄板コイルＡを輸送するときは、図５に示すように、脚材１を下にして井型パレット１００を床面に載置し、上材２（シート状物４）の上に複数（図５では５つ）の鉄板コイルを積層して載置する。複数の鉄板コイル５，５，…は、図５に２点鎖線で示すように、帯鉄Ｂにて、井型パレット１００に固定する。図５の例では、井型パレット１００の交差部６ごとに計４箇所で、帯鉄Ｂによる固定がなされている。
鉄板コイルＡが輸送されたのち、荷解きを行う際には、帯鉄Ｂを帯鉄カッター等の切断工具により切断する。
【００２０】
こうして、使用を終えた（鉄板コイルＡを下ろした）後の井型パレット１００は、角木材をリサイクルに供するため、解体を行う。井型パレット１００の解体は、帯状部材３を帯鉄カッターで切断することにより行う。計８本の帯状部材３を全て切断すると、４本の角木材は容易に分離できる。また、シート状物４も同時に上材２から分離できる。角木材には、釘等の金属片が残ったり、表面にビニールテープが残ったりしないため、容易にチップ材に処理できる。
【００２１】
（第２実施形態）
図３は、本発明の第２実施形態に係る井型パレット２００を示している。井型パレット２００は、第１実施形態に係る井型パレット１００と同様に、２本の脚材１，１と２本の上材２，２とからなる４本の角木材を井型に組んで形成されるとともに、上材２の上面に段ボール紙からなるシート状物４が載置されている。
尚、第２実施形態において、第１実施形態と共通する部材については、同一符号を付して説明を省略する。
【００２２】
第１実施形態の井型パレット１００が、脚材１と上材２を、交差部６の１箇所につき２本の帯状部材３，３で、たすき掛けに連結しているのに対し、第２実施形態の井型パレット２００は、脚材１と上材２を、交差部６の１箇所につき１本のみの帯状部材３で連結している。帯状部材３は、図３の例の帯状部材３と交差する対角方向に引き掛けてもよい。
【００２３】
井型パレット２００は、帯状部材３により、脚材１と上材２が連結されたのち、帯状部材３の上から、上材２の上面にシート状物４が載置され、シート状物４は、樹脂製の結束バンド（帯状部材）により、上材２の長手方向の３箇所で、上材２に固定されている。
【００２４】
このように、帯鉄バンドからなる帯状部材３の上からシート状物４を載置することで、帯状部材３で、鉄板コイル等の輸送物に傷が付くのを抑制できる。
【００２５】
以上、本発明の井型パレットは、上述した実施形態に限らず、例えば、交差部に掛ける帯状部材は、１本の帯状部材３を上材２の上側で交差させ、脚材１の下側では交差せず平行となるようにしてもよい。また、上記の実施形態に、例えば脚材や上材を補強等の目的で追加してもよい。
【符号の説明】
【００２６】
井型パレット１００，２００
脚材１
上材２
帯状部材３
シート状物４
帯状部材５
交差部６
【図１】
2018177307.tif 000003
【図２】
2018177307.tif 000004
【図３】
2018177307.tif 000005
【図４】
2018177307.tif 000006
【図５】
2018177307.tif 000007